(57)【要約】【課題】傾斜状態や屈曲状態（隆起状態）にした場合でも使用者の身体に適合させることのできるベッドの床板を簡潔な構成で安価に提供する。【解決手段】複数の床板部材１１ａ・１１ｂ・１１ｃ・１１ｄから成り、複数の床板部材１１ａ・１１ｂ・１１ｃ・１１ｄの少なくともいずれかが傾斜自在に可動するベッドの床板において、任意の傾斜自在な床板部材１１ａ・１１ｂ・１１ｃ・１１ｄは、使用者の身長方向への長さを調整することができる長さ調整手段を有している。【選択図】図２
0003126237.tif 000002
【実用新案登録請求の範囲】
【請求項１】
複数の床板部材から成り、前記複数の床板部材の少なくともいずれかが傾斜自在に可動するベッドの床板において、任意の前記傾斜自在な床板部材は、使用者の身長方向への長さを調整することができる長さ調整手段を有していることを特徴とするベッドの床板。
【請求項２】
請求項１に記載されたベッドの床板において、前記長さ調整手段を有する任意の傾斜自在な床板部材が、使用者の大腿部に相当する部分に配置される大腿板であることを特徴とするベッドの床板。
【請求項３】
請求項１又は請求項２のいずれかに記載されたベッドの床板において、前記長さ調整手段の操作部が、前記床板部材の側面部に設けられていることを特徴とするベッドの床板。    
【請求項４】
請求項１乃至請求項３のいずれかに記載されたベッドの床板において、前記長さ調整手段は、前記長さ調整手段を有する前記任意の傾斜自在な床板部材を形成する複数の床板本体部分を備え、前記複数の床板本体部分は、相対的に進退自在に設置され、前記進退により前記使用者の身長方向への長さを調整できることを特徴とするベッドの床板。
【請求項５】
請求項４に記載されたベッドの床板において、前記長さ調整手段は、前記複数の床板本体部分を相互に所定の位置で固定し又は前記固定を解除する固定部を備えていることを特徴とするベッドの床板。
【請求項６】
請求項５に記載されたベッドの床板において、前記固定部は、一方の前記床板本体部分に形成された複数の固定孔と、前記複数のいずれかに抜き差し自在に固定される固定部材から成っていることを特徴とするベッドの床板。
【請求項７】
請求項６に記載されたベッドの床板において、前記固定部材が、通常では前記床板本体部分から突出するように付勢された突起であり、前記突起は、前記付勢に抗して前記床板部材内に格納することにより前記固定孔への嵌合を解除されて前記複数の床板本体部分の固定を解除する一方、前記付勢により突出して前記固定孔を貫通することにより前記複数の床板本体部分を固定することを特徴とするベッドの床板。
【請求項８】
請求項６に記載されたベッドの床板において、前記固定部材が、前記固定孔を貫通して締め付けられるボルトであることを特徴とするベッドの床板。
【請求項９】
請求項６乃至請求項８のいずれかに記載されたベッドの床板において、前記複数の固定孔は前記固定部材の係止部を有する連続孔であることを特徴とするベッドの床板。
【請求項１０】
請求項９に記載されたベッドの床板において、前記連続孔は、前記固定部材が前記ボルトである場合において、締付時に前記ボルトの頭部が入り込む孔本体と、複数の前記孔本体間に形成されて前記ボルトの杆部が入り込むことができる連結孔とから成り、前記長さ調整手段は、前記ボルトを締め付けて前記複数の床板本体部分を固定する一方、前記ボルトの締付を解除して前記ボルトの杆部を前記連結孔を介して他の孔本体に移動させることにより締め付け位置を調整できることを特徴とするベッドの床板。
【請求項１１】
請求項６乃至請求項８のいずれかに記載されたベッドの床板において、前記複数の固定孔は所定の間隔を開けて配置されていることを特徴とするベッドの床板。
【請求項１２】
請求項１乃至請求項１１のいずれかに記載されたベッドの床板において、前記複数の床板部材は、前記使用者の腰部に相当する部分に固定して配置される固定腰部板と、前記固定腰部板に対し傾斜自在に設けられ前記使用者の上体に相当する部分に配置される背板と、前記固定腰部板に対し傾斜自在に設けられた前記大腿板と、前記大腿板に対して傾斜自在に設けられた下腿板とから成っていることを特徴とするベッドの床板。
【考案の詳細な説明】
【技術分野】
【０００１】
本考案は寝具の技術分野に属するものであり、より詳しくは、ベッド床板の構成要素である任意の傾斜自在な床板部材について、これを使用者の身長方向へ長さ調整できるように改良したベッドの床板に関する。
【背景技術】
【０００２】
ベッド（寝台）については各種のものがすでに提供されている。なかでも傷病者や要介護者などのために開発された調整機能付きベッドは、その機能性に基づいて使用者の快適なベッド生活を実現させたり、介護者の負担を軽減させたりしている。
【０００３】
ベッド調整の主なものとしては、つぎのようなものがある。一つは、室内の床からボトム面までの高さを調整する高さ調整である。他の一つは、頭と背中の当たる背ボトムを起こしたり倒したりする背上げ角度調整である。さらに他の一つは、膝裏の当たる膝ボトムおよび脚ボトムを山状に隆起させたりそれを平坦にしたりする膝上げ角度調整である。このような調整機能を装備したベッドの場合は、それを適切に用いることで安眠が得やすくなり、ベッド上で養生するときの質も高めることができる。
【０００４】
ベッドについていえば使用者の体格に合ったものを選定するのが一般である。そうでないとベッドが使い心地の悪いものになってしまう。とくに調整機能付きベッドの場合、体格に不釣り合いなベッドを選定したりすると使い心地が極端に低下する。それは使用者との間で、調整などでは解消することのできない使用上の不適合が生じるからである。
【０００５】
ベッドのサイズに関しては、調整機能付きベッドなどでも使用者の体格などを参考にして作製したいく通りかのサイズがある。したがって使用者などは、できるだけ自分の身体にみあったサイズのものを選び、それを使用すればよいかに思える。とはいえ、用意されるベッドのサイズは少ない。これは少ないサイズのうちから適当と思うものを選ぶほかないのであるから、選定したベッドが自分に適合しないことも少なからずある。この不適合に起因した不具合の代表的一例はつぎのようなものである。それは座位または半座位と膝屈曲位とをとる場合において、頭と背中の当たる背ボトムを傾斜状に起立させ、これとともに膝裏の当たる膝ボトムおよび脚ボトムを山状に隆起させたときに、使用者の膝裏に隙間が生じるということである。このような隙間が生じると、身体が足もと側にずり落ちやすくなる。かかる不具合は使用者に違和感を与えるばかりか、腹部圧迫を惹き起こすような苦しい姿勢を強いることにもなる。ちなみに従来では、その対策の一つとして膝裏の隙間に三角クッションを介在させるなどの措置を講じている。
【０００６】
一方で特許文献１に開示された発明は、ベッド床部の屈曲位置調節機構として、使用者の体格いかんにかかわらず、床部の屈曲箇所を使用者の身体に適合できるものを提供するという。すなわちこの文献技術は、第２分割床と、第１分割床側または第３分割床側とのいずれかの連結箇所を選択的に拘束することで屈曲箇所を変え、それによって床部の屈曲箇所を使用者の身体に適合させるというものである。
【０００７】
【特許文献１】特開平０９−０７５４００号公報
【考案の開示】
【考案が解決しようとする課題】
【０００８】
特許文献１のベッドにおいては、第２分割床と第１分割床との連結箇所を拘束するか、または、第２分割床と第３分割床との連結箇所を拘束することで、屈曲箇所を選択的に変化させることができるから、その選択性の範囲内で床部の屈曲箇所を使用者の身体に適合させることが可能である。しかしこれは、このような２段階調整しかできないのであるから、床部の屈曲箇所を使用者の身体に適合させるとしても、多くの者に適合させることができない。それゆえ、傾斜状態や屈曲状態にしたりするベッド各部をできるだけ多くの使用者の身体に適合させることのできる実用性の高いベッドの床板が希求されている。
【０００９】
本考案はこのような技術上の課題に鑑み、傾斜状態や屈曲状態（隆起状態）にした場合でも使用者の身体に適合させることのできるベッドの床板を簡潔な構成で安価に提供しようとするものである。
【課題を解決するための手段】
【００１０】
本考案は上記の課題を解決するための第１の手段として、複数の床板部材から成り、前記複数の床板部材の少なくともいずれかが傾斜自在に可動するベッドの床板において、任意の前記傾斜自在な床板部材は、使用者の身長方向への長さを調整することができる長さ調整手段を有していることを特徴とするベッドの床板を提供するものである。
【００１１】
本考案は上記の課題を解決するための第２の手段として、上記第１の解決手段において、前記長さ調整手段を有する任意の傾斜自在な床板部材が、使用者の大腿部に相当する部分に配置される大腿板であることを特徴とするベッドの床板を提供するものである。
【００１２】
本考案は上記の課題を解決するための第３の手段として、上記第１又は第２のいずれかの解決手段において、前記長さ調整手段の操作部が、前記床板部材の側面部に設けられていることを特徴とするベッドの床板を提供するものである。
【００１３】
本考案は上記の課題を解決するための第４の手段として、上記第１乃至第３のいずれかの解決手段において、前記長さ調整手段は、前記長さ調整手段を有する前記任意の傾斜自在な床板部材を形成する複数の床板本体部分を備え、前記複数の床板本体部分は、相対的に進退自在に設置され、前記進退により前記使用者の身長方向への長さを調整できることを特徴とするベッドの床板を提供するものである。
【００１４】
本考案は上記の課題を解決するための第５の手段として、上記第４の解決手段において、前記長さ調整手段は、前記複数の床板本体部分を相互に所定の位置で固定し又は前記固定を解除する固定部を備えていることを特徴とするベッドの床板を提供するものである。    
【００１５】
本考案は上記の課題を解決するための第６の手段として、上記第５の解決手段において、前記固定部は、一方の前記床板本体部分に形成された複数の固定孔と、前記複数のいずれかに抜き差し自在に固定される固定部材から成っていることを特徴とするベッドの床板を提供するものである。
【００１６】
本考案は上記の課題を解決するための第７の手段として、上記第６の解決手段において、前記固定部材が、通常では前記床板本体部分から突出するように付勢された突起であり、前記突起は、前記付勢に抗して前記床板部材内に格納することにより前記固定孔への嵌合を解除されて前記複数の床板本体部分の固定を解除する一方、前記付勢により突出して前記固定孔を貫通することにより前記複数の床板本体部分を固定することを特徴とするベッドの床板を提供するものである。
【００１７】
本考案は上記の課題を解決するための第８の手段として、上記第６の解決手段において、前記固定部材が、前記固定孔を貫通して締め付けられるボルトであることを特徴とするベッドの床板を提供するものである。
【００１８】
本考案は上記の課題を解決するための第９の手段として、上記第６乃至第８のいずれかの解決手段において、前記複数の固定孔は前記固定部材の係止部を有する連続孔であることを特徴とするベッドの床板を提供するものである。
【００１９】
本考案は上記の課題を解決するための第１０の手段として、上記第９の解決手段において、前記連続孔は、前記固定部材が前記ボルトである場合において、締付時に前記ボルトの頭部が入り込む孔本体と、複数の前記孔本体間に形成されて前記ボルトの杆部が入り込むことができる連結孔とから成り、前記長さ調整手段は、前記ボルトを締め付けて前記複数の床板本体部分を固定する一方、前記ボルトの締付を解除して前記ボルトの杆部を前記連結孔を介して他の孔本体に移動させることにより締め付け位置を調整できることを特徴とするベッドの床板を提供するものである。
【００２０】
本考案は上記の課題を解決するための第１１の手段として、上記第６乃至第８のいずれかの解決手段において、前記複数の固定孔は所定の間隔を開けて配置されていることを特徴とするベッドの床板を提供するものである。
【００２１】
本考案は上記の課題を解決するための第１２の手段として、上記第１乃至第１１のいずれかの解決手段において、前記複数の床板部材は、前記使用者の腰部に相当する部分に固定して配置される固定腰部板と、前記固定腰部板に対し傾斜自在に設けられ前記使用者の上体に相当する部分に配置される背板と、前記固定腰部板に対し傾斜自在に設けられた前記大腿板と、前記大腿板に対して傾斜自在に設けられた下腿板とから成っていることを特徴とするベッドの床板を提供するものである。
【考案の効果】
【００２２】
本考案に係るベッドの床板は、複数の床板部材の少なくともいずれかが傾斜自在に可動するタイプのものであり、そのうちの任意の傾斜自在な床板部材が、使用者の身長方向へ長さ調整可能な長さ調整手段を有している。したがって当該長さ調整手段を介して所定床板部材の長さを調整することにより、ベッドサイズを使用者の身体に適合せさることができる。このように長さ調整したものは、ベッドの所定部を傾斜状態にしたり屈曲状態（隆起状態）にしたときに、それらの傾斜部や隆起部が有害な隙間（支障原因）のない状態でベッド上の使用者身体にフィットするようになるから、使用者に対して、違和感・不安定感・不快感・苦痛などを与えることのない快適さを保証する。とくに長期的なベッド生活を強いられる傷病者や要介護者などの場合は、かかる身体適合性に基づき高い質のベッド生活を維持できるようになる。
【００２３】
本考案に係るベッドの床板において、長さ調整手段を有する任意の傾斜自在な床板部材が、使用者の大腿部に相当する部分に配置される大腿板であるときは、使用者身体の足元側へのズレ防止に有効である。
【００２４】
本考案に係るベッドの床板において、長さ調整手段の操作部が、床板部材の側面部に設けられているときは、当該操作部が側面部以外に設けられている場合に比し、その側面部において調整操作が容易に行える。
【００２５】
本考案に係るベッドの床板において、長さ調整手段が、任意の傾斜自在な床板部材を形成するための複数の床板本体部分を備え、その複数の床板本体部分が、相対的に進退自在に設置され、その進退により使用者の身長方向への長さを調整できるものであるときは、調整のための構成が簡潔で安価なものになる。
【００２６】
本考案に係るベッドの床板において、長さ調整手段が、複数の床板本体部分を相互に所定の位置で固定し又は前記固定を解除する固定部を備えたものであるときは、これも構成が簡潔である上、固定とその解除という簡単な操作で調整できる利便性がある。その場合は、つぎようにすることで構成の簡潔性・操作の容易性・低コストなどを満足させることができる。固定部の望ましい一例として、一方の床板本体部分に形成された複数の固定孔と、複数のいずれかに抜き差し自在に固定される固定部材から成るものは上記の効果を満足させる。固定部は、他の一例において、通常では床板本体部分から突出するように付勢された突起である。その突起は、付勢に抗して床板部材内に格納することにより固定孔への嵌合を解除されて複数の床板本体部分の固定を解除する一方、付勢による突出で固定孔を貫通することにより複数の床板本体部分を固定するものである。そのような突起は上記の効果を満足させる。固定部材が固定孔を貫通して締め付けられるボルトであり、複数の固定孔が固定部材の係止部を有する連続孔であるときは上記の効果を満足させる。さらに連続孔は、固定部材がボルトである場合において、締付時にボルトの頭部が入り込む孔本体と、複数の孔本体間に形成されてボルトの杆部が入り込むことができる連結孔とから成るものであるときに上記の効果を満足させる。長さ調整手段については、ボルトを締め付けて複数の床板本体部分を固定する一方、ボルトの締付を解除してボルトの杆部を連結孔を介して他の孔本体に移動させることにより締め付け位置を調整できるものもよく、それが上記の効果を満足させる。複数の固定孔は所定の間隔を開けて配置されるものでもあっても上記の効果を満足させるものである。
【００２７】
本考案に係るベッドの床板において、複数の床板部材が、使用者の腰部に相当する部分に固定して配置される固定腰部板と、固定腰部板に対し傾斜自在に設けられ使用者の上体に相当する部分に配置される背板と、固定腰部板に対し傾斜自在に設けられた大腿板と、大腿板に対して傾斜自在に設けられた下腿板とから成るものは、ベッドサイズを使用者の身体に適合せさることのできるベッドについて、背上げ角度調整や膝上げ角度調整ができるようになる。これは簡潔な構成で多機能性をもたせたものであるから、利便性がより高まる。
【考案を実施するための最良の形態】
【００２８】
本考案に係るベッドの床板の実施形態を添付図面に基づいて以下に説明する。
【００２９】
本考案に係るベッドの床板として図１（Ａ）〜（Ｃ）と図２に例示されたものは、複数の床板部材１１ａ〜１１ｄからなる。これら複数の床板部材１１ａ〜１１ｄは、一例として四角形の枠体１２とその枠体１２内に取り外し可能に装備された面状体１３とを主体にして構成されるものである。面状体１３は図示例において縦部材と横部材とが格子状に組まれた格子体からなるが、これは多孔板のようなものであっても、また、無孔板のようなものであってもよい。各床板部材１１ａ〜１１ｄについては、さらに、これらの用途・機能・構造からしてつぎのようにいうことができる。床板部材１１ａは一般に背ボトムと称されている背板であって、これはベッド使用者の上体に相当する部分に配置されるものである。床板部材１１ｂは一般に腰ボトムとか座ボトムとか称されている固定腰部板であって、これはベッド使用者の腰部に相当する部分に固定して配置されるものである。床板部材１１ｃは一般に膝ボトムと称されている大腿板であって、これは固定腰部板（床板部材１１ｂ）に対して傾斜自在に設けられるものである。床板部材１１ｄは一般に脚ボトムと称されている下腿板であって、これは大腿板（床板部材１１ｃ）に対して傾斜自在に設けられるものである。このほか床板部材１１ａ・１１ｄの両側部には、床板上に載置されるマットレスなどを保持したり柵（ガード）を取り付けたりするための突出片１４が設けられており、その突出片１４には治具装着用の縦孔１５が形成されている。
【００３０】
図１〜図３を参照して、複数の床板部材１１ａ〜１１ｄは相対的な牽連関係を保持してフレーム本体２１上に組み付けられるものである。そのフレーム本体２１の一例は長方形の枠体を骨格とするものであって必要な箇所にわたり桟や軸が架設されている。フレーム本体２１は、また、その四隅に脚２２が取り付けられるものである。そのためにフレーム本体２１には、図４（Ａ）のように雌ネジ部（ナット）２５を有する脚取付座２６が設けられており、これと対応して脚２２の上端部には雄ネジ部（ボルト）２３を有する締付具２４が付設されている。それぞれの脚２２は締付具２４の雄ネジ部２３を脚取付座２６の雌ネジ部２５に締め付け固定することでフレーム本体２１の四隅に取り付けられる。図１を参照してフレーム本体２１には、頭上側にヘッドボード２７が取り付けられているとともに足下側にフットボード２８が取り付けられている。
【００３１】
各床板部材１１ａ〜１１ｄは、フレーム本体２１上の所定位置に配置されて装備されるものである。それぞれのレイアウトと装備態様は、図１〜図３を参照してつぎのとおりである。固定腰部板であるところの床板部材１１ｂは、フレーム本体２１上で頭上側と足下側とのほぼ中間部に配置されて固定される。背板であるところの床板部材１１ａはフレーム本体２１上において床板部材１１ｂの上位（頭上側）に配置される。この二つの床板部材１１ａ・１１ｂは、これら床板部材１１ａ・１１ｂの隣接面にある一対の連結具１６・１７とこの両連結具１６・１７を枢着連結するための頭部付き軸ピン１８とを介して相対回転自在に連結されるものである。具体的には図４（Ｂ）のとおり、相対的に広幅のコ字形金具からなる一方の連結具１６と相対的に細幅のコ字形金具からなる他方の連結具１７とが向かい合わせで合体され、その合体された両連結具１６・１７にわたり軸ピン１８が差し込まれて所定の連結がなされる。さらに、軸ピン１８については、これの離脱を防止するため、その貫通端部に周知のストッパピン１９が施される。このような連結具１６・１７と軸ピン１８とによる床板部材相互の連結手段は、両床板部材１１ａ・１１ｂの隣接部間で幅方向に間隔をおいて二つ以上設けられるものである。床板部材１１ｂと相対連結された床板部材１１ａは、図２に示された複数（例：二本）の回動アーム２９とも連結される。この回動アーム２９はフレーム本体２１に装備された回転軸（図示せず）に基端部を固定されており、床板部材１１ａの裏面（下面）に重なるという態様において、その先端部が当該床板部材１１ａに連結されるものである。したがって床板部材１１ａは、空気圧式または油圧式のシリンダ（図示せず）からの動力を受けて前記回転軸（図示せず）が回転し、それにともなって回動アーム２９が上方へ起立回転したとき、床板部材１１ｂに対して屈折して傾斜状になるものである。また、回動アーム２９が下方へ倒伏回転したときには、床板部材１１ａは水平状態に戻るものである。これで床板部材（背板）１１ａは床板部材（固定腰部板）１１ｂに対して傾斜自在に設けられている。大腿板であるところの床板部材１１ｃと下腿板であるところの床板部材１１ｄは、図２のように平行隣接する相対配置において前記と同様に枢着連結されるものである。すなわち両床板部材１１ｃ・１１ｄの隣接部間で幅方向に間隔をおいて二つ以上設けられる図４（Ｂ）の連結手段により、相対回転自在に連結されるものである。これは、さらに、両床板部材１１ｃ・１１ｄが折れ曲げ自在になることから相対屈伸自在な連結ということもできる。相互に連結された両床板部材１１ｃ・１１ｄはフレーム本体２１上において、床板部材１１ｃが床板部材１１ｂに隣接するという態様で床板部材１１ｂの下位（足下側）に配置される。この場合も、床板部材１１ｂと床板部材１１ｃは、両床板部材１１ｂ・１１ｃの隣接部間で幅方向に間隔をおいて二つ以上設けられる図４（Ｂ）の連結手段により、相対回転自在に連結されるものである。床板部材１１ｂと相対連結された床板部材１１ｃは、図２に示された複数（例：二本）の回動アーム３０とも連結される。この回動アーム３０は、フレーム本体２１に装備された回転軸３１に基端部を固定されていて床板部材１１ｃの裏面（下面）に重なるという態様において、その先端部が当該床板部材１１ｃに連結されるものである。したがって床板部材１１ｃは、空気圧式または油圧式のシリンダ（図示せず）からの動力を受けて回転軸３１が回転し、それにともなって回動アーム３０が上方へ起立回転したとき、床板部材１１ｂに対して屈折して傾斜状になるものである。そのとき床板部材１１ｂと連結されている床板部材１１ｄの連結端部も同時に持ち上がるので、両床板部材１１ｃ・１１ｄは、山状に相対屈曲した隆起状態を呈するようになる。これとは逆に、回動アーム３０が下方へ倒伏回転したときには、両床板部材１１ｃ・１１ｄは伸展してフラットな状態に戻るものである。
【００３２】
上述した各床板部材１１ａ〜１１ｄのうちで、床板部材１１ａと床板部材１１ｃと床板部材１１ｄは傾斜自在なものである。この傾斜自在な床板部材１１ａ・１１ｂ・１１ｃのうちの任意の一つまたは二つ以上（複数のもの）については、これに長さ調整手段が設けられる。その場合の長さ調整手段は、ベッド使用者の身長方向への長さを調整することができるというものである。具体的一例として図示例の場合は、床板部材１１ｃにその長さ調整手段が設けられるが、それは図５・図６を参照してつぎのとりである。
【００３３】
図５・図６で床板部材１１ｃは、前後複数に分割された床板本体部分Ｃ０１・Ｃ０２を主体にして構成されるものである。この図示例では、床板本体部分Ｃ０１側であって枠体１２の両側面部を構成している断面角形の中空体（パイプ）が、長さ調整手段の一部すなわち調整雌具１２ｘとして用いられる。一方で、床板本体部分Ｃ０２側における枠体１２の両側面部には、調整雌具１２ｘと嵌め合い自在に対応する断面角形の中空体（パイプ）が調整雄具１２ｙとして取り付けられている。これらのうちで一方の調整雌具１２ｘの外側壁には複数の固定孔１２ｆが形成されており、他方の調整雄具１２ｙの外側壁には一つの固定孔１２ｈが形成されている。かかる長さ調整手段は、自明のとおり、その調整状態を固定するための固定部が不可欠である。その固定部の一実施形態として、固定孔１２ｆ・１２ｈに対応する固定部材１２ｐが付帯する。この図示例において調整雌具１２ｘに形成された固定孔１２ｆは、一例として複数の孔が横一列に連なった横長の連続孔からなる。その場合に、孔と孔との隣接部間が固定部材１２ｐを保持するための係止部になる。この図示例の床板部材１１ｃの長さ調整手段は、調整雌具１２ｘと調整雄具１２ｙとが内外に嵌まり合っているとき、その嵌り合い状態に依存して両床板本体部分Ｃ０１・Ｃ０２の前後方向に引き離したり近づけたりすることにより、床板部材１１ｃの長さを所定方向に調整することができるものである。このように調整したときは、一方の固定孔１２ｈが、複数ある他方の固定孔１２ｆのいずれかに一致するから、その両孔にわたり固定部材１２ｐを差し込むことで当該調整状態を保持することができる。
【００３４】
本考案に係るベッドの床板は一例として上記のような実施形態になる。これの使用例は図１を参照してつぎのとおりである。図１（Ａ）は背板（背ボトム）に該当する床板部材１１ａを傾斜状態にした使用例である。これはベッド使用者が半座位の姿勢をとる背上げのときにこの使用例になる。図１（Ｂ）は大腿板（膝ボトム）に該当する床板部材１１ｃと下腿板（脚ボトム）に該当する床板部材１１ｄとを山状に隆起させた使用例である。これはベッド使用者が膝屈曲位の姿勢をとる膝上げのときにこの使用例になる。図１（Ｃ）は床板部材１１ａを傾斜状態にするとともに床板部材１１ｃおよび床板部材１１ｄを山状に隆起させた使用例である。これはベッド使用者が半座位の姿勢をとり、かつ、膝屈曲位の姿勢をとるときにこの使用例になる。
【００３５】
本考案に係るベッドの床板は、既述の長さ調整手段を備えているから、これを有効活用して床板部材１１ｃの長さ（前後方向の寸法）を調整する。すなわちベッド使用者の身体に合わせて床板部材１１ｃの長さを調整する。したがって図１（Ｂ）や図１（Ｃ）のような使用例において使用者が半座位かつ膝屈曲位の姿勢をとったとき、使用者の膝裏に隙間が生じることはなく、それに起因した身体のずり落ちを未然に防止することができる。
【００３６】
上述した本考案の実施形態は一例にすぎないものである。したがって本考案に係るベッドの床板については、下記(1)〜(5)のような実施形態もある。
(1) 床板部材１１ａ〜１１ｄについては、床板部材１１ｃだけでなく、床板部材１１ａや床板部材１１ｄについても床板部材１１ｃと同様の調整手段を備えることがある。
(2) 床板部材１１ａ・１１ｃ・１１ｄなどを長さ調整自在に設けるとき、床板本体部分はＣ０１・Ｃ０２のような前後二分割だけでなく、前後三分割以上にしてよいものである。
(3) 図示例において固定孔１２ｆは複数の孔が横一列に連なった横長の連続孔であるが、これは独立した複数の孔が間隔をおいて横一列に並ぶものであってもよい。
(4) 固定部材１２ｐがボルト（例：頭部付きボルト）のような雄ネジからなるとき、固定孔１２ｆおよび／または１２ｈは雌ネジからなる。
(5) 調整雌具１２ｘ側の固定孔１２ｆに対する調整雄具１２ｙ側の固定部材１２ｐについて、固定部材１２ｐが調整雄具１２ｙに保持されたものからなり、しかもそれがバネなどで付勢（弾発力付与）されて調整雌具１２ｘ側へ定常的に突出する突起からなることもある。このような態様のとき、突起は付勢に抗し床板部材内に格納することで固定孔１２ｆから離脱して各床板本体部分Ｃ０１・Ｃ０２相互の固定を解除する。一方で、付勢により突出して固定孔１２ｆを貫通することにより各床板本体部分Ｃ０１・Ｃ０２を相互に固定することなる。
【産業上の利用可能性】
【００３７】
本考案に係るベッドの床板は、寝具としての各種ベッドに適用できるものである。しかもそれは、傾斜状態や屈曲状態（隆起状態）にした場合でも使用者の身体に適合させることのできるベッドの床板が簡潔な構成で安価に提供できるのであるから、産業上の利用可能性が高い。
【図面の簡単な説明】
【００３８】
【図１】本考案に係るベッドの床板の一実施形態についてこれの各種使用状態を略示した側面図である。
【図２】本考案に係るベッドの床板の一実施形態を示した分解斜視図である。
【図３】本考案における床板部材相互の連結状態を示した斜視図である。
【図４】本考案に係るベッドの床板の一部拡大図である。
【図５】本考案における床板部材の一つを示した斜視図である。
【図６】本考案における床板部材の一つを示した側面図である。
【符号の説明】
【００３９】
１１ａ  床板部材
１１ｂ  床板部材
１１ｃ  床板部材
１１ｄ  床板部材
１２    枠体
１２ｆ  固定孔
１２ｈ  固定孔
１２ｐ  固定部材
１２ｘ  調整雌具
１２ｙ  調整雄具
１３    面状体
Ｃ０1    床板本体部分
Ｃ０２    床板本体部分
１６    連結具
１７    連結具
１８    軸ピン
２１    フレーム本体
【図１】
0003126237.tif 000003
【図２】
0003126237.tif 000004
【図３】
0003126237.tif 000005
【図４】
0003126237.tif 000006
【図５】
0003126237.tif 000007
【図６】
0003126237.tif 000008